(57)【特許請求の範囲】
【請求項１】
吊りボルト（２７），（２７），（２７），（２７）を介して天井部（４）の開口（４ａ）内に吊り下げ設置され、かつ下面側に化粧パネル（３）が取り付けられる空気調和機本体（１）の側面（２ｂ），（２ｂ），（２ｂ），（２ｂ）部分にラチェット機構（１６，２３，２４），（１６，２３，２４），（１６，２３，２４），（１６，２３，２４）を備えた吊り金具（１５），（１５），（１５），（１５）を設け、この吊り金具（１５），（１５），（１５），（１５）を介して上記空気調和機本体（１）と吊りボルト（２７），（２７），（２７），（２７）とを係合させることにより、上記天井部（４）の開口（４ａ）内への組込み完了時における上記空気調和機本体（１）の高さ調整を可能としてなる天井埋込型空気調和機であって、上記ラチェット機構（１６，２３，２４），（１６，２３，２４），（１６，２３，２４），（１６，２３，２４）は、両側に上下方向に連続するラチェット溝（２１，２２）を有するラチェットプレート（１６）と、上記空気調和機本体（１）側面の上記ラチェットプレート（１６）の両側にあって上記ラチェットプレート（１６）の上記ラチェット溝（２１，２２）に対して上方移動可能に係合するラチェット爪（２３，２４）とからなるとともに、上記ラチェットプレート（１６）は上記空気調和機本体（１）の側面に沿って並設されているとともに、上下方向に延びるガイド溝（１７），（１８）が設けられており、該ガイド溝（１７），（１８）を介して、上記空気調和機本体（１）の該ラチェットプレート（１６）に対面する側面に設けられているガイドネジ（１９），（２０）に対してスライド可能に係合されていることを特徴とする天井埋込型空気調和機。
【請求項２】
ガイド溝（１７），（１８）と、ガイドネジ（１９），（２０）は、上下方向の同一直線上に位置して２組設けられていることを特徴とする請求項１記載の天井埋込型空気調和機。
【請求項３】
化粧パネル（３）が方形に形成されている一方、空気調和機本体（１）は、当該方形の化粧パネル（３）の４角のコーナ部において側面（２ｂ），（２ｂ），（２ｂ），（２ｂ）を有し、ラチェット機構（１６，２３，２４）が該化粧パネル（３）の４角の側面（２ｂ，２ｂ，２ｂ，２ｂ）部分に位置して設けられていることを特徴とする請求項１又は２記載の天井埋込型空気調和機。
【請求項４】
化粧パネル（３）の４角のコーナスペースには、吊りボルト（２７），（２７），（２７），（２７）に対するラチェット機構（１６，２３，２４），（１６，２３，２４），（１６，２３，２４），（１６，２３，２４）の位置を調整可能な開口（３０），（３０），（３０），（３０）が設けられていることを特徴とする請求項３記載の天井埋込型空気調和機。
【発明の詳細な説明】
【０００１】
【発明の属する技術分野】
【０００２】
本願発明は、天井埋込型空気調和機の据付け構造に関するものである。
【従来の技術】
【０００３】
従来、天井埋込型空気調和機を天井の設置用開口部内に据付ける場合、天井スラブから吊り下げた吊りボルトに対し、所定の吊り金具を介して空気調和機本体を吊り下げて収納し、その後、その下面側に化粧パネルを取り付けて設置用開口部との間の隙間を塞ぐ据付け構造が採用されていた。
【発明が解決しようとする課題】
【０００４】
しかし、以上のような構成の場合、天井の設置用開口部内に吊り込まれた空気調和機本体全体の高さ位置が天井面に対して適正に合っていないと、最終的に取り付けられた化粧パネルと天井面との間に隙間が生じる場合がある。
【０００５】
したがって、そのような場合には、一旦取り付けた化粧パネルを外して吊り金具部分で空気調和機本体の高さ位置を調節し、その後再び化粧パネルを取り付ける必要があり、空気調和機本体据付時の組込み作業が非常に面倒であった。
【０００６】
このため、例えば空気調和機本体を六角形状に形成し、方形の化粧パネルの４角に高さ位置調整用の開口部を設けることも行われているが、狭い開口部を通しての高さ位置の調節は容易でないのが実情である。
【０００７】
本願発明は、このような問題を改善するためになされたもので、吊り金具にラチェット機構を設け、空気調和機本体を同ラチェット機構を有する吊り金具を介して吊りボルトに支持させることにより、化粧パネル取付け後に、必要に応じて化粧パネルを取り付けたままの状態で外部から高さ調節を行えるようにした天井埋込型空気調和機を提供することを目的とするものである。
【課題を解決するための手段】
【０００８】
本願発明は、上記の目的を達成するために、次のような課題解決手段を備えて構成されている。
【０００９】
（１）  請求項１の発明
この発明の天井埋込型空気調和機は、吊りボルト２７，２７，２７，２７を介して天井部４の開口４ａ内に吊り下げ設置され、かつ下面側に化粧パネル３が取り付けられる空気調和機本体１の側面２ｂ，２ｂ，２ｂ，２ｂ部分にラチェット機構１６，２３，２４、１６，２３，２４、１６，２３，２４、１６，２３，２４を備えた吊り金具１５，１５，１５，１５を設け、この吊り金具１５，１５，１５，１５を介して上記空気調和機本体１と吊りボルト２７，２７，２７，２７とを係合させることにより、上記天井部４の開口４ａ内への組込み完了時における上記空気調和機本体１の高さ調整を可能としてなる天井埋込型空気調和機であって、上記ラチェット機構１６，２３，２４，１６，２３，２４，１６，２３，２４，１６，２３，２４は、両側に上下方向に連続するラチェット溝２１，２２を有するラチェットプレート１６と、上記空気調和機本体１側面の上記ラチェットプレート１６の両側にあって上記ラチェットプレート１６の上記ラチェット溝２１，２２に対して上方移動可能に係合するラチェット爪２３，２４とからなるとともに、上記ラチェットプレート１６は上記空気調和機本体１の側面に沿って並設されているとともに、上下方向に延びるガイド溝１７，１８が設けられており、該ガイド溝１７，１８を介して、上記空気調和機本体１のラチェットプレート１６に対面する側面に設けられているガイドネジ１９，２０に対してスライド可能に係合されていることを特徴としている。
【００１０】
このような構成では、空気調和機本体１の側面にラチェット機構１６，２３，２４を備えた吊り金具１５，１５，１５，１５が設けられているので、該吊り金具１５，１５，１５，１５を介して空気調和機本体１を吊りボルト２７に係合させ、天井部４の開口４ａ内に吊り込んで水平状態に埋設することによって、容易に化粧パネル３を取り付けることができる。
【００１１】
そして、同空気調和機本体１の天井部４の開口４ａ内への組込み完了状態において、もしも例えば一部の吊り上げ高さ量が不足していて、天井部４の開口４ａ下面と化粧パネル外縁部３ａとの間に隙間ができたような場合には、当該部分を下方から上方に押し上げる。すると、上記吊り金具１５，１５，１５，１５に設けられているラチェット機構１６，２３，２４が、その時の押し上げ距離に応じた必要ピッチ分だけ作動して、当該隙間を埋めた状態で確実に埋設される。
【００１２】
そのため、従来のように化粧パネル３を外して再調整する等の面倒な調整操作が不要となり、空気調和機据付け時の作業効率が向上する。
【００１３】
また上記ラチェット機構１６，２３，２４は、両側に上下方向に連続するラチェット溝２１，２２を有するラチェットプレート１６と、上記空気調和機本体１側面の上記ラチェットプレート１６の両側にあって上記ラチェットプレート１６の上記ラチェット溝２１，２２に対して上方移動可能に係合するラチェット爪２３，２４とからなっている。
【００１４】
したがって、上記のように、空気調和機本体１をラチェット機構１６，２３，２４を介して吊りボルト２７に係合させ、天井部４の開口４ａ内に吊り込んで水平に埋設した場合において、その一部の吊り上げ高さ量が不足していることから、天井部４の開口４ａの下面と化粧パネル外縁部３ａとの間に隙間ができるとして、当該部分を下方から上方に押し上げた場合、当該ラチェット機構１６，２３，２４を構成する上記空気調和機本体１側のラチェット爪２３，２４が、上記吊りボルト２７側のラチェットプレート１６のラチェット溝２１，２２部分を、その時の押し上げ距離に応じた必要ピッチ分だけ上昇させられ、同上昇位置でラチェット２１，２２と係合することによって、当該隙間を埋めた状態で確実に埋設されるようになる。
【００１５】
しかも、その場合において、上記ラチェットプレート１６は上記空気調和機本体１の側面に沿って並設されているとともに、上下方向に延びるガイド溝１７，１８が設けられており、該ガイド溝１７，１８に対して、上記空気調和機本体１のラチェットプレート１６に対面する側面に設けられているガイドネジ１９，２０がスライド可能に係合されている。
【００１６】
したがって、上記空気調和機本体１の設置時に傾斜方向への変位を招くことなく、上下方向の吊り上げ高さの安定した設置調整が可能となる。
【００１７】
そのため、従来のような化粧パネル３を外して再調整する等のめんどうな調整操作が不要となることは素より、より一層空気調和機据付け時の作業効率が向上する。
【００１８】
（２）  請求項２の発明
この発明の天井埋込型空気調和機は、上記請求項１の発明の構成において、ガイド溝１７，１８と、ガイドネジ１９，２０は、上下方向の同一直線上に位置して２組設けられていることを特徴としている。
【００１９】
このような構成によれば、上記請求項１における空気調和機本体１の上記ラチェット機構を介した昇降作動時のガイド作用が、上下方向に安定し、よりスムーズな動作になる。
【００２０】
（３）  請求項３の発明
この発明の天井埋込型空気調和機は、上記請求項１又は２の発明の構成において、上記化粧パネル３が方形に形成されている一方、上記空気調和機本体１は、当該方形の化粧パネル３の４角のコーナ部において側面２ｂ，２ｂ，２ｂ，２ｂを有し、ラチェット機構１６，２３，２４が該化粧パネル３の４角のコーナ部の側面２ｂ，２ｂ，２ｂ，２ｂ部分に位置して設けられていることを特徴としている。
【００２１】
したがって、該構成では、方形の化粧パネル３の４角のコーナ部の側面２ｂ，２ｂ，２ｂ部分でラチェット機構１６，２３，２４を介して空気調和機本体１が吊りボルト２７，２７，２７，２７に高さ調整可能に吊り下げられるとともに、方形の化粧パネル３の４角のコーナ部に各々所定の広さの三角形状のコーナスペースが生じる。
【００２２】
（４）  請求項４の発明
この発明の天井埋込型空気調和機は、上記請求項３の発明の構成において、上記化粧パネル３の４角のコーナスペースには、吊りボルト２７，２７，２７，２７に対するラチェット機構１６，２３，２４、１６，２３，２４、１６，２３，２４、１６，２３，２４の位置を調整可能な開口３０，３０，３０，３０が設けられていることを特徴としている。
【００２３】
したがって、該構成によると、例えば空気調和機本体１を天井開口部４ａ内に吊り込み過ぎて化粧パネル３を安定した状態に取り付けられないような場合やラチェット部のピッチ量のみでは調整できないような場合には、該開口部３０，３０，３０，３０を介して吊りボルト２７，２７，２７，２７に対するラチェット機構１６，２３，２４、１６，２３，２４、１６，２３，２４、１６，２３，２４の位置を調整することにより、空気調和機本体１を下降させる方向への高さ調整や、より微妙な高さ調整を行うことも可能となる。
【発明の効果】
【００２４】
以上の結果、本願発明の天井埋込型空気調和機によると、天井部への据付け作業が容易で、組込作業効率の良い天井埋込型空気調和機を提供することができる。
【発明の実施の形態】
【００２５】
（実施の形態）
図１〜図３は、本願発明の実施の形態に係る天井埋込型空気調和機の構成を示している。
【００２６】
図中、先ず符号２は、当該天井埋込型空気調和機本体１のカセット型の本体ケーシングである。該本体ケーシング２は、例えば略八角形状をなし、その下面側に取付けられる方形の化粧パネル（下面パネル部）３が天井４と略同一平面状に連続するように高さ調節されて、開口４ａを介して、例えば図１に示すように天井４内に吊下げ状態で埋設されている。
【００２７】
そして、上記本体ケーシング２の下面側には方形の化粧パネル３が着脱可能に取付けられており、該化粧パネル３には、中央部に方形の空気吸込グリル５が設けられ、また該空気吸込グリル５の前後左右方向の各外周部には所定の幅の空気吹出口８，８，８，８が設けられている。また上記本体ケーシング２内の上記空気吸込グリル５の上方には、さらにエアフィルタ７を介して、ターボファン１２用のベルマウス６がターボファン１２のシュラウド１１に対応するように設けられている。
【００２８】
上記化粧パネル３外周部の空気吹出口８，８，８，８は、その内周側から外周側方向に所定角傾斜した空気吹出通路を形成しており、該空気吹出通路内には風向制御板９，９，９，９が設けられている。
【００２９】
このようにして、上記空気調和機本体１の本体ケーシング２内には上記化粧パネル３側の空気吸込グリル５から上記エアフィルタ７、ベルマウス６を経て上記空気吹出口８，８，８，８に到る全周方向の送風路１０が形成されており、該送風路１０の上記ベルマウス６の上方側に位置して、その空気吸込側シュラウド１１が上記ベルマウス６と対応するターボファン１２が設けられている。該ターボファン１２は、そのファンモータ１２ａおよび取付けブラケット１４を介して上記本体ケーシング２の天板２ａの下面部分に吊設固定されている。
【００３０】
また、上記本体ケーシング２内には、上記ターボファン１２の外周部を囲む状態で環状の熱交換器１３が設けられている。
【００３１】
従って、このように構成された空気調和機１では、例えば上記ターボファン１２が運転されて冷房又は暖房運転が行われた場合においては、該ターボファン１２の運転により上記空気吸込グリル５から機内空間内送風路１０中に吸い込まれた室内空気が、上記エアフィルタ７を介して当該ターボファン１２を通り、上記熱交換器１３を半径方向外方に貫通して熱交換された後に、上記前後左右４組の空気吹出口８，８，８，８から、風向制御板９，９，９，９を介して所望の方向に清浄な冷風あるいは温風として再び室内に吹き出される。
【００３２】
一方、上記略八角形状の本体ケーシング２の上記方形の化粧パネル３の４角の各コーナ部側に位置する各側板（側面）２ｂ，２ｂ，２ｂ，２ｂ部分には、例えば図３に詳細に示すように、当該空気調和機本体１を４本の吊りボルト２７，２７，２７，２７を介して吊り下げ支持するためのラチェット構造の吊り金具１５，１５，１５，１５が設けられている。
【００３３】
これら各吊り金具１５は、図示のように、中央部上下の第１，第２のガイド溝１７，１８を介して本体ケーシング２側の第１，第２のガイドネジ１９，２０に上下方向にスライド可能に係合されているとともに左右両側の第１，第２のラチェット溝２１，２２を介して上記本体ケーシング２側左右の第１，第２のラチェット爪２３，２４と係合するラチェットプレート本体１６ｂと、該ラチェットプレート本体１６ｂの上端側を外側方に鉤状に折り曲げて形成された吊りボルト係止片１６ａとからなるラチェットプレート１６とから構成されている。そして、上記第１，第２のガイド溝１７，１８と第１，第２のガイドネジ１９，２０とは、それぞれ相互にスライド可能に遊嵌状態で係合されていて各々吊りボルト２７，２７，２７，２７に対するラチェット機構および空気調和機本体１の係止位置が調整できるようになっている一方、上記第１，第２のラチェット溝２１，２２と第１，第２のラチェット爪２３，２４とは第１，第２のラチェット爪２３，２４が上方には移動できるが下方には係止される関係で係合されている。また、上記吊りボルト係止片１６ａには、吊りボルト２７の螺条部を有する下端２７ａが貫挿され、該貫挿部の上下を締結ナツト２９，２８を介して締結することにより吊りボルト係止片１６ａに連結されるようになっている。上記第１，第２のガイドネジ１９，２０は、第１，第２のガイド溝１７，１８と係合して本体ケーシング２とラチェットプレート１６との相対位置（上下方向）の案内をするものである。
【００３４】
なお、上記第１，第２の各ラチェット爪２３，２４は、全体としてバネ定数の高い金属材料よりなり、上記第１，第２のラチェット溝２１，２２に係合するくの字状の係合部２３ａ，２４ａとその上端側の本体ケーシング２側軸支部２５，２６とからなっている。
【００３５】
したがって、該構成では、上記化粧パネル３の４角側の各ラチェットプレート１６，１６，１６，１６を、上記本体ケーシング２側第１，第２のガイドネジ１９，２０に対し、上記第１，第２のガイド溝１７，１８を介してそれぞれ上下方向にスライドさせて第１，第２のラチェット爪２３，２４と第１，第２のラチェット溝２１，２２とを仮位置で係合させ、その吊りボルト２７，２７，２７，２７に対する仮固定位置を決定した後、該状態で吊りボルト係止片１６ａを吊りボルト２７に締結し、それによって、ひとまず上記空気調和機本体１をラチェットプレート１６および吊りボルト２７を介して天井４の開口部４ａ内に吊り込んで化粧パネル３を取り付け、略図１のような水平状態に埋設する。
【００３６】
そして、該状態において、例えば上記４ケ所の各吊り下げ部の何れか一部の吊り上げ量が不足していて、同部分の天井４の開口部４ａの下面と化粧パネル外縁部３ａとの間に隙間ができたような場合には、当該部分を化粧パネル３を取り付けたまま下方から上方に押し上げる。すると、上記本体ケーシング２側に固定されている第１，第２のラチェット爪２３，２４が、上記吊り金具１５側ラチェットプレート１６の第１，第２のラチェット溝２１，２２を１ピッチ又は２ピッチ分等、その時の押し上げ距離に応じた必要ピッチ分だけ上昇して係合し、当該隙間を埋めた状態で図１のように確実に埋設される。
【００３７】
そのため、従来のように化粧パネル３を外したり、化粧パネル３の４角の各コーナ部の調整用開口から吊り金具部分に手を入れて上述の締結ナット２９，２８を調整して吊金具位置の調整をする等の面倒な調整操作が不要となり、空気調和機本体組込時の作業効率が向上する。
【００３８】
そして、その場合において、上記ラチェットプレート１６は上記空気調和機本体１の側面に沿って並設されているとともに、上下方向に延びるガイド溝１７，１８が設けられており、該ガイド溝１７，１８に対して、上記空気調和機本体１のラチェットプレート１６に対面する側面に設けられているガイドネジ１９，２０がスライド可能に係合されている。
【００３９】
したがって、上記空気調和機本体１の設置時に傾斜方向への変位を招くことなく、上下方向の吊り上げ高さの安定した設置調整が可能となる。
【００４０】
そのため、従来のような化粧パネル３を外して再調整する等のめんどうな調整操作が不要となることは素より、より一層空気調和機据付け時の作業性が向上する。
【００４１】
しかも、上記ガイド溝１７，１８と、ガイドネジ１９，２０は、上下方向の同一直線上に位置して２組設けられている。
【００４２】
したがって、上記空気調和機本体１の上記ラチェット機構を介した昇降作動時のガイド作用が、より上下方向に安定し、よりスムーズな動作になる。
【００４３】
また以上の構成では、図２に示されるように、上記本体ケーシング２が略八角形状に形成されているとともに化粧パネル３が方形に形成されていて、上記化粧パネル３の４角の各コーナ部のコーナスペースに、化粧パネル取付後に吊りボルト２７，２７，２７，２７に対する締結ナット２９，２８の位置を調整するための開口部３０，３０，３０，３０が設けられている。
【００４４】
したがって、例えば上記空気調和機本体１を天井４の設置用開口部４ａ内に吊り込み過ぎて化粧パネル３を安定した状態に取り付けられないような場合やラチェット部のピッチ量のみでは調整できないような場合には、該開口部３０，３０，３０，３０を介して吊りボルトに対する締結ナット２９，２８の位置を調整することにより、上記空気調和機本体１を下降させる方向への高さ調整やより微妙な高さ調整を行うことも可能となる。
【００４５】
なお、以上の構成に関連し、本願発明のラチェット機構は、上記実施の形態に記載のものに限らず、上方には移動できるが下方には係止される関係で係合できるものであれば、どのような機構のものをも含むことは言うまでもない。
【図面の簡単な説明】
【図１】  本願発明の実施の形態１に係る天井埋込型空気調和機の天井に埋込んだ状態の断面図である。
【図２】  同空気調和機の斜視図である。
【図３】  同空気調和機の要部の拡大正面図である。
【符号の説明】
１は天井埋込型空気調和機本体、２は本体ケーシング、２ａは天板、２ｂは化粧パネルコーナ部側の側板、３は化粧パネル、４は天井、４ａは空気調和機設置用開口部、８は空気吹出口、１２はターボファン、１３は熱交換器、１５は吊り金具、１６はラチェットプレート、１６ａは吊りボルト係止片、１６ｂはラチェットプレート本体部、１７は第１のガイド溝、１８は第２のガイド溝、１９は第１のガイドネジ、２０は第２のガイドネジ、２１は第１のラチェット溝、２２は第２のラチェット溝、２３は第１のラチェット爪、２４は第２のラチェット爪、２７は吊りボルトである。
【図１】
0004359955.tif 000002
【図２】
0004359955.tif 000003
【図３】
0004359955.tif 000004